(57)【要約】【課題】切り詰め作業専用部材を不用とし、作業効率の向上並びに作業コストの削減を実現することができるエレベータを提供する。【解決手段】ガバナロープ２６の両端が昇降路２１内を昇降するエレベータかご２３に連結され、ガバナロープ２６の上側ループ部が昇降路２１の上部の機械室に設置された調速機に巻装され、エレベータかご２３の昇降と連動して回動移動するガバナロープ２６の速度を調速機により監視してエレベータかごの昇降速度が制御され、ガバナロープ２６の下側ループ部に連結されて一方の錘３４を固定状態とすると共に他方の錘３６を一方の錘３４下方に位置するように回動可能に支持した左右二分割の錘３０の荷重によりガバナロープ２６の緊張状態が維持され、ガバナロープ２６の切り詰め作業時には他方の錘３６を一方の錘３４の下方に位置させて昇降路２１の床面２１ａに接地させることでガバナロープ２６の緊張状態が解除される。【選択図】        図１
2004238128.tif 000002
【特許請求の範囲】
【請求項１】
昇降路内を昇降するエレベータかごにガバナロープの両端をそれぞれ連結し、前記昇降路上部の機械室に設置された調速機に前記ガバナロープの上側ループ部を巻装し、前記調速機により前記エレベータかごの昇降と連動して回動移動する前記ガバナロープの速度を監視して前記エレベータかごの昇降速度を制御すると共に、前記ガバナロープの下側ループ部に連結した錘の荷重により緊張状態を維持しているエレベータにおいて、
前記錘を左右二分割して一方の錘を固定状態とすると共にその一方の錘に対して他方の錘を前記一方の錘の下方に位置するように回動可能に支持し、前記ガバナロープの切り詰め作業時には前記他方の錘を前記一方の錘の下方に位置させて前記昇降路の床面に接地させることで前記ガバナロープの緊張状態を解除可能としたことを特徴とするエレベータ。
【請求項２】
前記他方の錘の高さを前記昇降路の床面に設置させた際には前記ガバナロープの下側ループ位置が所定位置に規定される高さに設定されていることを特徴とする請求項１に記載のエレベータ。
【発明の詳細な説明】
【０００１】
【発明の属する技術分野】
本発明は、昇降路内を昇降するエレベータかごにガバナロープの両端をそれぞれ連結し、前記ガバナロープの上側ループ部を前記昇降路上部の機械室に設置された調速機に巻装し、該調速機により前記エレベータかごの昇降と連動して回動移動する前記ガバナロープの速度を監視して前記エレベータかごの昇降速度を制御すると共に、前記ガバナロープの下側ループ部に連結した錘の荷重により緊張状態を維持しているエレベータに関する。
【０００２】
【従来の技術】
従来から、昇降路内を昇降するエレベータかごにガバナロープの両端をそれぞれ連結すると共に、そのガバナロープの上側ループ部を昇降路上部の機械室に設置された調速機に巻装し、その調速機によりエレベータかごの昇降と連動して回動移動するガバナロープの速度を監視してエレベータかごの昇降速度を制御するエレベータが周知である。
【０００３】
また、このようなガバナロープの下側ループ部は経年使用に伴うガバナロープの伸びを吸収するため、その下側ループ部を形成するプーリに錘を連結し、この錘による荷重でガバナロープの伸びに相当する分だけプーリを下方へと変位させてガバナロープの緊張状態を維持することも知られている（例えば、特許文献１参照。）。
【０００４】
これにより、例えば、エレベータの定期検査等のメンテナンスにおいて、ガバナロープの伸びを調整する切り詰め作業を行っている。
【０００５】
図３は、このようなガバナロープの切り詰め作業の一例を示し（特許文献１参照）、エレベータの概略説明図である。
【０００６】
図３において、１は建物（図示せず）に形成されたエレベータの昇降路、２は昇降路１の全長に跨るガイドレール、３はエレベータロープ４の一端が接続されると共に釣合錘５とつるべ式にガイドレール２に沿って上下動するエレベータかご、６はエレベータかご３の乗降に連動して回動移動するガバナロープ、７はガバナロープ６の上端に位置して調速機（全体図示せず）の一部を構成する上部プーリ、８はガバナロープ６の下端に位置してガイドレール２の下方に取り付けアーム９を介して取り付けられた下部プーリ、１０は下部プーリ８を介してガバナロープ６の緊張状態を維持する錘である。
【０００７】
このような構成において、経年使用に伴って伸びたガバナロープ６を切り詰めるには、エレベータかご３を最下階の床上階レベルに停止させ、エレベータピットに入り、ガバナロープ６の伸び寸法を確認し、エレベータかご３の上に乗り、ガイドレール２にブラケット１１を取り付け、ロープ状の牽引体１２の一端をブラケット１１に係止すると共に他端を反かご側のガバナロープ６に固結する。
【０００８】
ターンバックル（図示せず）によりガバナロープ６を引き上げてガバナロープ６の上端部を緩ませ、ガバナロープ６を締結部６ａから取り外して測定された伸び寸法に相当する長さだけガバナロープ６を切詰める。
【０００９】
ガバナロープ６を締結部６ａで再び締結し、ターンバックルによりガバナロープ６の張力を緩めてブラケット１１及び牽引体１２等を取り外して元通りにした後、エレベータピットに入ってガバナロープ６の長さを確認した上でエレベータピットから出て試運転をしてガバナロープ６の切詰め作業を終了する。
【００１０】
【特許文献１】
特開平８−２６６２６号公報
【００１１】
【発明が解決しようとする課題】
ところで、上記の如く構成されたエレベータにあっては、ガバナロープ６の切り詰め作業に必要な工具のほか、ブラケット１１並びにロープ状の牽引体１２といった切り詰め作業専用部材を必要としていた。
【００１２】
従って、建物にこれら切り詰め作業専用部材を保管するには、保管場所の確保や管理といった面倒が発生し、作業者が持ち歩くには携帯性に劣るうえ、作業効率が低下するばかりでなく作業コストが高騰という問題があった。
【００１３】
本発明は、上記問題を解決するため、切り詰め作業専用部材を不用とし、作業効率の向上並びに作業コストの削減を実現することができるエレベータを提供することを目的とする。
【００１４】
【課題を解決するための手段】
その目的を達成するため、本発明のエレベータは、昇降路内を昇降するエレベータかごにガバナロープの両端をそれぞれ連結し、前記昇降路上部の機械室に設置された調速機に前記ガバナロープの上側ループ部を巻装し、前記調速機により前記エレベータかごの昇降と連動して回動移動する前記ガバナロープの速度を監視して前記エレベータかごの昇降速度を制御すると共に、前記ガバナロープの下側ループ部に連結した錘の荷重により緊張状態を維持しているエレベータにおいて、前記錘を左右二分割して一方の錘を固定状態とすると共にその一方の錘に対して他方の錘を前記一方の錘の下方に位置するように回動可能に支持し、前記ガバナロープの切り詰め作業時には前記他方の錘を前記一方の錘の下方に位置させて前記昇降路の床面に接地させることで前記ガバナロープの緊張状態を解除可能としたことを特徴とする。
【００１５】
ガバナロープの両端が昇降路内を昇降するエレベータかごに連結され、ガバナロープの上側ループ部が昇降路上部の機械室に設置された調速機に巻装され、エレベータかごの昇降と連動して回動移動するガバナロープの速度を調速機により監視してエレベータかごの昇降速度が制御され、ガバナロープの下側ループ部に連結されて一方を固定状態とすると共にその一方に対して他方を一方の下方に位置するように回動可能に支持した左右二分割の錘の荷重によりガバナロープの緊張状態が維持され、ガバナロープの切り詰め作業時には他方を一方の下方に位置させて昇降路の床面に接地させることでガバナロープの緊張状態が解除される。
【００１６】
また、本発明のエレベータは、前記他方の錘の高さを前記昇降路の床面に設置させた際には前記ガバナロープの下側ループ位置が所定位置に規定される高さに設定されていることを特徴とする。
【００１７】
【発明の実施の形態】
次に、本発明のエレベータの実施の形態を図面に基づいて説明する。
【００１８】
図１（Ａ）は本発明の実施の形態に係わるエレベータにおけるガバナロープ緊張状態の要部の正面図、図１（Ｂ）は本発明の実施の形態に係わるエレベータにおけるガバナロープ緊張解除状態の要部の正面図、図２は本発明の実施の形態に関わるエレベータの概略説明図である。
【００１９】
図２において、２１は建物（図示せず）に形成されたエレベータの昇降路、２２は昇降路２１の全長に跨るガイドレール、２３はエレベータロープ２４の一端が接続されると共に釣合錘２５とつるべ式にガイドレール２２に沿って上下動するエレベータかご、２６はエレベータかご２３の乗降に連動して回動移動するガバナロープ、２７はガバナロープ２６の上端に位置して調速機（全体図示せず）の一部を構成する上部プーリ、２８はガバナロープ２６の下端に位置してガイドレール２２の下方に取り付けられた下部プーリ、３０は下部プーリ２８を介してガバナロープ２６の緊張状態を維持する錘である。
【００２０】
下部プーリ２８は、図１（Ａ）に示すように、ガバナロープ２６の下側ループ部を形成すると共に、ガイドレール２２の下方寄りに固定されたブラケット３１並びに回動アーム３２を介して上下方向に変位可能且つ回転可能に設けられている。
【００２１】
錘３０は、回動アーム３２の先端に回動アーム３３を介して支持されていると共に、左右に二分割されており、一方の錘３４はボルト等の固定具３５を介して回動アーム３３に固定され、他方の錘３６は常時はボルト等の固定具３７を介して回動アーム３３に支持されると共にヒンジ部材３８を介して一方の錘３４に回動可能に連結されている。
【００２２】
従って、他方の錘３６は、図１（Ｂ）に示すように、固定具３７を取り外すことにより、ヒンジ部材３８を介して一方の錘３４の下方に位置するようになっている。また、この他方の錘３６が一方の錘３４の下方に位置した場合には、一方の錘３４と同時に下部プーリ２８を上方に押し上げるように昇降路２１（又はエレベータピット）の床面２１ａに接地し、これによりガバナロープ２６の緊張状態が解除される。
【００２３】
ところで、少なくとも他方の錘３６の高さＴを所定の高さとし、図１（Ｂ）に示したガバナロープ２６の緊張解除状態とした際には、例えば、回動アーム３２が水平になるなどの所定のガバナクリアランスを規定することができる高さとすることで、他方の錘３６を床面２１ａに接地させるだけで切り詰め基準位置の確保が可能となり、この状態でガバナロープ２６が緊張状態となるように切り詰めれば、切り詰め長さ（延び長さ）を測定することなく切り詰め作業が容易に可能となる。
【００２４】
上記の構成において、常時は、一方の錘３４の左右に隣接するように他方の錘３６を回動アーム３３に固定具３７で支持させ、錘３０全体を浮遊させることでその荷重によりガバナロープ２６の伸びに応じて下部プーリ２８が下方へと変位してガバナロープ２６の緊張状態が維持される。
【００２５】
一方、ガバナロープ２６の伸びによりその切り詰め作業を行う場合には、固定具３７を取り外して一方の錘３４並びに下部プーリ２８を上方へと持ち上げつつ床面２１ａに接地するように他方の錘３６を回動させる。
【００２６】
この状態から、ガバナロープ２６の緩みを解除して緊張状態となるようにガバナロープ２６を切り詰めた後、再び、他方の錘３６を回動させて固定具３７により回動アーム３３に支持させる。
【００２７】
【発明の効果】
本発明のエレベータにあっては、以上説明したように構成したことにより、切り詰め作業専用部材を不用とし、作業効率の向上並びに作業コストの削減を実現することができる。
【図面の簡単な説明】
【図１】本発明の実施の形態に係わるエレベータを示し、（Ａ）はガバナロープ緊張状態の要部の正面図、（Ｂ）はガバナロープ緊張解除状態の要部の正面図である。
【図２】本発明の実施の形態に関わるエレベータの概略説明図である。
【図３】従来のエレベータの概略説明図である。
【符号の説明】
２１  昇降路、２１ａ  床面、２３  エレベータかご、２６  ガバナロープ、３０  錘、３４  一方の錘（一方）、３６  他方の錘（他方）。
【図１】
2004238128.tif 000003
【図２】
2004238128.tif 000004
【図３】
2004238128.tif 000005